(57)【要約】【課題】  枠体に加熱源を設けることにより、食品保温器に汎用性を持たせ、且つ、深さの異なる皿等に対応可能な食品保温器を提供すること。【解決手段】  料理を入れ、料理により深さの異なるものが用いられる皿または鍋と、該皿または鍋を載せる開口を有する枠体と、皿または鍋に入れられた料理を保温する加熱源とを備えた食品保温器において、前記枠体の開口の外周部に前記加熱源を設け、前記枠体の加熱を通じて前記皿または鍋のフランジ部を加熱する構成。【選択図】    図３
2006043226.tif 000002
【特許請求の範囲】
【請求項１】
料理を入れ、料理により深さの異なるものが用いられる被加熱容器と、該被加熱容器を載せる開口を有する枠体と、被加熱容器に入れられた料理を保温する加熱源とを備えた食品保温器において、前記枠体の開口の外周部に前記加熱源を設け、前記枠体の加熱を通じて前記被加熱容器のフランジ部を加熱することを特徴とする食品保温器。
【請求項２】
前記加熱源は、前記被加熱容器のフランジ部の対向部に設けることを特徴とする請求項１記載の食品保温器。
【請求項３】
料理を入れ、料理により深さの異なるものが用いられる被加熱容器と、該被加熱容器を載せる開口を有する枠体と、被加熱容器に入れられた料理を保温する加熱源とを備えた食品保温器において、前記加熱源は、前記枠体の上面に設け、前記被加熱容器のフランジ部を加熱することを特徴とする食品保温器。
【請求項４】
料理を入れ、料理により深さの異なるものが用いられる被加熱容器と、該被加熱容器を載せる開口を有する枠体と、被加熱容器に入れられた料理を保温する加熱源とを備えた食品保温器において、前記枠体の開口端部を下方に折り曲げ、該折り曲げ部に前記加熱源を設けることを特徴とする食品保温器。
【請求項５】
料理を入れ、料理により深さの異なるものが用いられる被加熱容器と、該被加熱容器を載せる開口を有する枠体と、被加熱容器に入れられた料理を保温する加熱源とを備えた食品保温器において、前記枠体の開口の下方には、下方に延設し、被加熱容器側面と当接可能の板バネ部材を設け、該板バネ部材に前記加熱源を設けることを特徴とする食品保温器。
【請求項６】
前記加熱源は、加熱源保持部材を除いて露出しており、輻射熱により前記被加熱容器を加熱することを特徴とする請求項１〜５記載の食品保温器。
【発明の詳細な説明】
【技術分野】
【０００１】
本発明は、食品保温器に関し、さらに詳しくは、ヒータが固定されていても被加熱容器の深さに関係なく加熱できる食品保温器に関するものである。
【背景技術】
【０００２】
従来、例えば、ホテルやレストランのパーティー会場等では、大きな皿や鍋等に出来上がった料理を盛ってパーティー出席者に提供しており、出来上がった料理の旨みを長時間に亘って持続するために食品保温器が用いられる。
【０００３】
従来の食品保温器の一例を図１０に示す。テーブル等に載せられる枠体ａには、上面に開口ｂが設けられ、開口ｂには、大皿等の被加熱容器ｃが載置される。被加熱容器ｃの底部には、電流の方向により加熱或いは冷却作用を有する熱電素子ｄ、および放熱板ｅ、冷却ファンｆが設けられるとともに、これら熱電素子ｄ、放熱板ｅ、冷却ファンｆは、ビスｇにより被加熱容器ｃの底部に取り付けられる（例えば、特許文献１参照。）。
【０００４】
従来例のものは、被加熱容器ｃの底部に直接加熱源等が取り付けられるため、加熱等の効率はよい。しかしながら、従来の加熱源等は、被加熱容器ｃの底部に直接取り付けられるいわば専用のものである。
【０００５】
ところで、出来上がった料理を盛る被加熱容器は、大皿や鍋等、深さの異なるものも含めいろいろあるため、皿等によっては、皿等の底部に加熱源を取り付けると枠体ａの高さより高くなり、枠体ａに載置できなくなったり、または、全ての皿等に加熱源等を取り付けなければならず、食品保温器の生産コストが高騰するという問題があった。
【特許文献１】特許第２７４６５４１号
【発明の開示】
【発明が解決しようとする課題】
【０００６】
本発明の目的は、このような課題を解決するもので、枠体に加熱源を設けることにより、食品保温器に汎用性を持たせ、且つ、深さの異なる皿、鍋等の被加熱容器に対応可能な食品保温器を提供することである。
【課題を解決するための手段】
【０００７】
上記目的を達成するため、本発明は以下の構成を採用する。
【０００８】
請求項１に係る発明では、料理を入れ、料理により深さの異なるものが用いられる被加熱容器と、該被加熱容器を載せる開口を有する枠体と、被加熱容器に入れられた料理を保温する加熱源とを備えた食品保温器において、前記枠体の開口の外周部に前記加熱源を設け、前記枠体の加熱を通じて前記被加熱容器のフランジ部を加熱する構成。そしてこのような構成により、加熱源が固定されていても汎用的に用いられ、皿等の深さに関係なく加熱が行われる。
【０００９】
請求項２に係る発明では、前記加熱源は、前記被加熱容器のフランジ部の対向部に設ける構成。そしてこのような構成により、請求項１に係る発明の作用に加え、加熱効率がより高まる。
【００１０】
請求項３に係る発明では、料理を入れ、料理により深さの異なるものが用いられる被加熱容器と、該被加熱容器を載せる開口を有する枠体と、被加熱容器に入れられた料理を保温する加熱源とを備えた食品保温器において、前記加熱源は、前記枠体の上面に設け、前記被加熱容器のフランジ部を加熱する構成。そしてこのような構成により、加熱源が固定されていても汎用的に用いられ、皿等の深さに関係なく加熱が行われるとともに、加熱源が直接皿等のフランジ部を加熱することになり、加熱効率がより高まる。
【００１１】
請求項４に係る発明では、料理を入れ、料理により深さの異なるものが用いられる被加熱容器と、該被加熱容器を載せる開口を有する枠体と、被加熱容器に入れられた料理を保温する加熱源とを備えた食品保温器において、前記枠体の開口端部を下方に折り曲げ、該折り曲げ部に前記加熱源を設ける構成。そしてこのような構成により、加熱源が固定されていても汎用的に用いられ、皿等の深さに関係なく加熱が行われるとともに、皿等を側面から加熱することになり、加熱効率がより高まる。
【００１２】
請求項５に係る発明では、料理を入れ、料理により深さの異なるものが用いられる被加熱容器と、該被加熱容器を載せる開口を有する枠体と、被加熱容器に入れられた料理を保温する加熱源とを備えた食品保温器において、前記枠体の開口の下方には、下方に延設し、被加熱容器側面と当接可能の板バネ部材を設け、該板バネ部材に前記加熱源を設ける構成。そしてこのような構成により、加熱源が固定されていても汎用的に用いられ、皿等の深さに関係なく加熱が行われるとともに、皿等の側面に常時当接し、皿等を側面から加熱することになり、加熱効率がより高まる。
【００１３】
請求項６に係る発明では、前記加熱源は、加熱源保持部材を除いて露出しており、輻射熱により前記被加熱容器を加熱する構成。そしてこのような構成により、請求項１〜５に係る発明の作用に加え、加熱効率がより高まる。
【発明の効果】
【００１４】
請求項１に係る発明では、枠体の開口の外周部に加熱源を設け、枠体の加熱を通じて皿等のフランジ部を加熱することにより、加熱源が固定されていても枠体を汎用的に用いることができる。また、皿等の深さが深いものであっても枠体の高さより低いものであれば従来通り枠体に載置して加熱を行うことができる。そのため、食品保温器の生産コストを高めることなく、利便性を高めることができる。
【００１５】
請求項２に係る発明では、加熱源を皿等のフランジ部の対向部に設けることにより、請求項１に係る発明の効果に加え、加熱効率をより高めることができる。
【００１６】
請求項３に係る発明では、加熱源を枠体の上面に設け、皿等のフランジ部を加熱することにより、加熱源が固定されていても枠体を汎用的に用いることができる。また、皿等の深さが深いものであっても枠体の高さより低いものであれば従来通り枠体に載置して加熱を行うことができる。さらに、加熱源で直接皿等のフランジ部を加熱するため、加熱効率を高めることができる。そのため、食品保温器の生産コストを高めることなく、利便性を高めることができる。
【００１７】
請求項４に係る発明では、枠体の開口端部を下方に折り曲げ、該折り曲げ部に加熱源を設けることにより、加熱源が固定されていても枠体を汎用的に用いることができる。また、皿等の深さが深いものであっても枠体の高さより低いものであれば従来通り枠体に載置して加熱を行うことができる。さらに、加熱源で皿等の側面を加熱するため、加熱効率を高めることができる。そのため、食品保温器の生産コストを高めることなく、利便性を高めることができる。
【００１８】
請求項５に係る発明では、枠体の開口の下方に、下方に延設し、皿等の側面と当接可能の板バネ部材を設け、該板バネ部材に加熱源を設けることにより、加熱源が固定されていても枠体を汎用的に用いることができる。また、皿等の深さが深いものであっても枠体の高さより低いものであれば従来通り枠体に載置して加熱を行うことができる。さらに、皿等の側面に常時当接される加熱源で皿等の側面を加熱するため、加熱効率をより高めることができる。そのため、食品保温器の生産コストを高めることなく、利便性を高めることができる。
【００１９】
請求項６に係る発明では、加熱源を加熱源保持部材を除いて露出させ、輻射熱により皿等を加熱することにより、請求項１〜５に係る発明の効果に加え、加熱効率をより高めることができる。
【実施例１】
【００２０】
図１に食品保温器の全体断面図を示し、図２に枠体の斜視図を示し、図３に加熱源の取付状態を示す図１Ａ部の拡大要部断面図を示す。
【００２１】
食品保温器１０は、枠体１１及び枠体１１に設けられる加熱源としてのヒータ３０からなる。前記枠体１１は、上部に矩形状の天板１２及び該天板１２の四隅に垂下して設けられる４本の脚部１３からなり、天板１２には、被加熱容器としての大皿用の矩形状開口１４及び鍋用の円形開口１５が設けられる。
【００２２】
前記大皿用の矩形状開口１４には、大皿２０が載置される。前記大皿２０は、矩形状の容器であり、本体部２１、該本体部２１の外周に設けられるフランジ部２２及び蓋２３からなり、本体部２１を開口１４内に挿入し、フランジ部２２を天板１２の上面に載せることにより、全体を天板１２上に載置する。
【００２３】
また、前記鍋２４は、円形状の容器であり、本体部２５、該本体部２５の外周に設けられるフランジ部２６及び蓋２７からなり、本体部２５を開口１５内に挿入し、フランジ部２６を天板１２の上面に載せることにより、全体を天板１２上に載置する。
【００２４】
符号３０は、加熱源としてのヒータであり、該ヒータ３０は、大皿用の開口１４及び鍋用の開口１５を包囲して天板１２の下面で、且つ、大皿２０、鍋２４のフランジ部２２、２６に対向する箇所に設けられる。それらヒータ３０は、複数のヒータ保持部材３１によって天板１２の下面に取り付けられ、図示しない制御装置により所定の設定温度になるように通電制御される。なお、ヒータ３０は、大皿２０、鍋２４のフランジ部２２、２６の対向部に設けられると説明したが、必ずしも対向部でなくとも良い。
【００２５】
これらヒータ３０は、図１に示すように、ヒータ保持部材３１以外の箇所においては露出しており、輻射熱により開口１４、１５内に入れられる大皿２０、鍋２４の側面を加熱する。この場合、輻射熱は、大皿２０、鍋２４以外の方向にも放射されるため、そのような側には、図３に示すように、断熱材３３を設ける。
【００２６】
動作について説明する。大皿２０、鍋２４に出来上がった料理を入れ、枠体１１の開口１４、１５内に載置し、ヒータ３０に通電する。すると、ヒータ３０の熱は、天板１２を介して大皿２０、鍋２４のフランジ部２２、２６に伝えられるとともに、さらにフランジ部２２、２６を介して大皿２０、鍋２４の本体部２１、２５に伝えられ、これら本体部２１、２５内に入れられた料理を設定温度になるように保温する。この場合、ヒータ３０の大皿２０、鍋２４側は露出されているため、輻射熱により全体が効率的に加熱される。
【００２７】
このように、ヒータ３０は、枠体１１に取り付けられるため、大皿２０、鍋２４に個別にヒータを取り付ける必要がないとともに、枠体１１の高さより低い大皿２０、鍋２４であればどのような深さのものでも用いることができ、使用する皿等の汎用性が高まる。また、前記開口１４、１５に入る大きさのものでも、或いは入らないような大きさのものでも天板１２上に載置することにより保温することができる。
【実施例２】
【００２８】
図４に加熱源の他の実施例を示す。この実施例は、さらに波形形状を有する伝熱板を設けることを特徴とするもので、実施例１と共通のものは同じ符号を用い詳細については省略する。
【００２９】
符号３０は、加熱源としてのヒータであり、該ヒータ３０は、大皿用の開口１４、鍋用の開口１５を包囲して天板１２の下面で、且つ、大皿２０、鍋２４のフランジ部２２、２６に対向する箇所に設けられる。それらヒータ３０は、複数のヒータ保持部材３１によって天板１２の下面に取り付けられ、図示しない制御装置により所定の設定温度になるように通電制御される。
【００３０】
これらヒータ３０は、図１に示すように、ヒータ保持部材３１以外の箇所においては露出しており、輻射熱により開口１４、１５内に入れられる大皿２０、鍋２４の側面を加熱する。この場合、輻射熱は、大皿２０、鍋２４以外の方向にも放射されるため、そのような方向側には、図３に示すように、断熱材３３を設ける。
【００３１】
また、天板１２とヒータ３０の間には、伝熱板４０が取り付けられる。伝熱板４０は、根本部４１及び自由端部４２からなるアルミ製で、且つ全体が略Ｌ字形のバネ部材であり、自由端部４２は、波形形状とされる。そして、前記根本部４１は、ヒータ保持部材３１により天板１２とヒータ３０の間に狭持されるとともに、自由端部４２は、開口１４、１５内に内側に反る形態で侵入する。
【００３２】
そのため、開口１４、１５内に大皿２０、鍋２４の本体部２１、２５を挿入すると、本体部２１、２５の側面は、自由端部４２を押し広げ、本体部２１、２５の挿入後においては、自由端部４２は、図に示すように本体部２１、２５の側面に当接し、自由端部４２の側面と本体部２１、２５の側面との間に断熱層となる空気層４３を形成する。
【００３３】
この例のものでは、ヒータ３０の熱は、伝熱板４０及び天板１２を介して大皿２０、鍋２４のフランジ部２２、２６に伝えられ、さらにフランジ部２２、２６を介して大皿２０、鍋２４の本体部２１、２５に伝えられる。また、伝熱板４０からの伝熱、或いはヒータ露出部からの輻射熱は、自由端部４２を介して本体部２１、２５の高さ方向全体に、且つ均一に伝えられる。さらに、自由端部４２には断熱層としての空気層４３が形成されているため、本体部２１、２５内に入れられた料理はより効率的に保温される。
【００３４】
この例のものにおいても、ヒータ３０は、枠体１１に取り付けられるため、大皿２０、鍋２４に個別にヒータを取り付ける必要がないとともに、枠体１１の高さより低い大皿２０、鍋２４であればどのような深さのものでも用いることができ、使用する皿等の汎用性が高まる。また、前記開口１４、１５に入る大きさのものでも、或いは入らないような大きさのものでも天板１２上に載置することにより保温することができる。
【実施例３】
【００３５】
図５に加熱源のさらに他の実施例を示す。この実施例は、板バネ部材の先端に取り付けたヒータを皿等の本体部側面に当接することを特徴とするもので、実施例１と共通のものは同じ符号を用い詳細については省略する。
【００３６】
天板１２の下面には、板バネ部材４５が取り付けられる。板バネ部材４５は、根本部４６及び自由端部４７からなるステンレス製で、且つ全体が湾曲板状のバネ部材であり、自由端部４７の先端にはヒータ３０が取り付けられる。そして、前記根本部４６は、天板１２の下面に取り付けられ、自由端部４７は、開口１４、１５内に内側に反る形態で侵入する。
【００３７】
そのため、開口１４、１５内に大皿２０、鍋２４の本体部２１、２５を挿入すると、本体部２１、２５の側面は、ヒータ３０を狭持する自由端部４７を押し広げ、本体部２１、２５の挿入後においては、ヒータ３０を狭持する自由端部４２の先端は、図に示すように本体部２１、２５の側面に当接し、ヒータ３０により本体部２１、２５の側面を加熱する。このように、ヒータ３０は、本体部２１、２５の側面に当接し、本体部２１、２５を直接加熱するため、本体部２１、２５内に入れられた料理を効率的に保温する。
【００３８】
この例のものにおいても、ヒータ３０は、枠体１１に取り付けられるため、大皿２０、鍋２４に個別にヒータを取り付ける必要がないとともに、枠体１１の高さより低い大皿２０、鍋２４であればどのような深さのものでも用いることができ、使用する皿等の汎用性が高まる。
【実施例４】
【００３９】
図６に加熱源のさらに他の実施例を示す。この実施例は、天板の上面にヒータを設けることを特徴とするもので、実施例１と共通のものは同じ符号を用い詳細については省略する。
【００４０】
符号３０は、加熱源としてのヒータであり、該ヒータ３０は、大皿用の開口１４、鍋用の開口１５を包囲して天板１２の上面で、且つ、大皿２０、鍋２４のフランジ部２２、２６に対向する箇所に設けられる。それらヒータ３０は、複数のヒータ保持部材３１によって天板１２の上面に取り付けられ、図示しない制御装置により所定の設定温度になるように通電制御される。
【００４１】
また、大皿２０、鍋２４のフランジ部２２、２６の中央には、ヒータ３０及びヒータ保持部材３１を包囲する大きさの膨出部５０が形成される。そのため、開口１４、１５内に大皿２０、鍋２４の本体部２１、２５を挿入すると、フランジ部２２、２６の膨出部５０は、ヒータ３０及びヒータ保持部材３１を包囲するように載置されるとともに、フランジ部２２、２６は、ヒータ３０及びヒータ保持部材３１を押しつけ、両者の密着をより高める。
【００４２】
また、フランジ部２２、２６の膨出部５０は、ヒータ３０及びヒータ保持部材３１上に嵌合する形態になり、大皿２０、鍋２４の動きが規制されるため、枠体１１の移動時に大皿２０、鍋２４の移動を防止することができる。
【００４３】
この例のものでは、ヒータ３０の熱は、直接大皿２０、鍋２４のフランジ部２２、２６に伝えられ、さらにフランジ部２２、２６を介して大皿２０、鍋２４の本体部２１、２５に伝えられるため、本体部２１、２５内に入れられた料理はより効率的に保温される。
【００４４】
この例のものにおいても、ヒータ３０は、枠体１１に取り付けられるため、大皿２０、鍋２４に個別にヒータを取り付ける必要がないとともに、枠体１１の高さより低い大皿２０、鍋２４であればどのような深さのものでも用いることができ、使用する皿等の汎用性が高まる。
【実施例５】
【００４５】
図７に加熱源のさらに他の実施例を示す。この実施例は、天板に下方に垂下する筒状の折り曲げ部を設け、該折り曲げ部にヒータを設けることを特徴とするもので、実施例１と共通のものは同じ符号を用い詳細については省略する。
【００４６】
大皿２０、鍋２４の開口１４、１５には、その端部が下方に垂下した筒状の折り曲げ部５５が形成される。折り曲げ部５５は、その内部に大皿２０、鍋２４が挿入可能な形状とされ、且つ、その外側面には、図に示すようにヒータ３０がヒータ保持部材３１により取り付けられるとともに、その全外周部にはさらに断熱材３３が取り付けられる。そして、該ヒータ３０は、図示しない制御装置により所定の設定温度になるように通電制御される。
【００４７】
この例のものでは、ヒータ３０の熱は、折り曲げ部５５を介して大皿２０、鍋２４の本体部２１、２５に伝えられるため、本体部２１、２５内に入れられた料理は同様に効率的に保温される。
【００４８】
この例のものにおいても、ヒータ３０は、枠体１１に取り付けられるため、大皿２０、鍋２４に個別にヒータを取り付ける必要がないとともに、枠体１１の高さより低い大皿２０、鍋２４であればどのような深さのものでも用いることができ、使用する皿等の汎用性が高まる。
【実施例６】
【００４９】
図８に加熱源のさらに他の実施例を示す。この実施例は、天板に下方に垂下する筒状の折り曲げ部を設け、該折り曲げ部に加熱源としてＩＨコイルを設けることを特徴とするもので、実施例１と共通のものは同じ符号を用い詳細については省略する。
【００５０】
大皿２０、鍋２４の開口１４、１５には、その端部が下方に垂下した筒状の折り曲げ部５５が形成される。折り曲げ部５５は、その内部に大皿２０、鍋２４が挿入可能な形状とされ、且つ、その外側面には、図に示すように加熱源としてのＩＨコイル６０が取り付けられるとともに、その全外周部にはさらに断熱材３３が取り付けられる。そして、ＩＨコイル６０は、図示しない制御装置により所定の設定温度になるように通電制御される。
【００５１】
この例のものでは、ＩＨコイル６０を大皿２０、鍋２４の深さに応じて折り曲げ部５５の外周部に巻回し、ＩＨコイル６０の電磁誘導加熱により大皿２０、鍋２４の本体部２１、２５の側面を全体にわたり直接加熱することができるため、本体部２１、２５内に入れられた料理を効率的に保温することができる。
【００５２】
この例のものにおいても、ＩＨコイル６０は、枠体１１に取り付けられるため、大皿２０、鍋２４に個別にヒータを取り付ける必要がないとともに、枠体１１の高さより低い大皿２０、鍋２４であればどのような深さのものでも用いることができ、使用する皿等の汎用性が高まる。
【実施例７】
【００５３】
図９に加熱源のさらに他の実施例を示す。この実施例は、天板に下方に垂下する筒状の折り曲げ部を設け、該折り曲げ部に面状ヒータを設けることを特徴とするもので、実施例１と共通のものは同じ符号を用い詳細については省略する。
【００５４】
大皿２０、鍋２４の開口１４、１５には、その端部が下方に垂下した筒状の折り曲げ部５５が形成される。折り曲げ部５５は、その内部に大皿２０、鍋２４が挿入可能な形状とされ、且つ、その外側面には、アルミ製の放熱リング７１及び加熱源としての面状ヒータ７０が積層状に取り付けられるとともに、その全外周部にはさらに断熱材３３が取り付けられる。そして、面状ヒータ７０は、図示しない制御装置により所定の設定温度になるように通電制御される。
【００５５】
この例のものでは、面状ヒータ７０を大皿２０、鍋２４の深さに応じて折り曲げ部５５の外周部に取り付け、面状ヒータ７０により大皿２０、鍋２４の本体部２１、２５の側面を放熱リング７１を介して全体にわたり加熱することができるため、本体部２１、２５内に入れられた料理を効率的に保温することができる。
【００５６】
この例のものにおいても、面状ヒータ７０は、枠体１１に取り付けられるため、大皿２０、鍋２４に個別にヒータを取り付ける必要がないとともに、枠体１１の高さより低い大皿２０、鍋２４であればどのような深さのものでも用いることができ、使用する皿等の汎用性が高まる。
【００５７】
本願発明は、前記実施例の構成に限定されるものではなく、発明の要旨を逸脱しない範囲において適宜設計変更可能である。
【図面の簡単な説明】
【００５８】
【図１】本発明の食品保温器の全体を示す概略断面図
【図２】本発明の食品保温器の枠体の斜視図
【図３】本発明の食品保温器の加熱源の取付状態を示す図１Ａ部の拡大要部断面図
【図４】本発明の食品保温器の他の加熱源の取付状態を示す図１Ａ部の拡大要部断面図
【図５】本発明の食品保温器のさらに他の加熱源の取付状態を示す図１Ａ部の拡大要部断面図
【図６】本発明の食品保温器のさらに他の加熱源の取付状態を示す図１Ａ部の拡大要部断面図
【図７】本発明の食品保温器のさらに他の加熱源の取付状態を示す図１Ａ部の拡大要部断面図
【図８】本発明の食品保温器のさらに他の加熱源の取付状態を示す図１Ａ部の拡大要部断面図
【図９】本発明の食品保温器のさらに他の加熱源の取付状態を示す図１Ａ部の拡大要部断面図
【図１０】従来の食品保温器の概略断面図
【符号の説明】
【００５９】
１０…食品保温器        １１…枠体
１２…天板              １３…脚部
１４…開口              １５…開口
２０…大皿              ２１…本体部
２２…フランジ部        ２３…蓋
２４…鍋                ２５…本体部
２６…フランジ部        ２７…蓋
３０…ヒータ            ３１…ヒータ保持部材
３２…ヒータ露出部      ３３…断熱材
４０…伝熱板            ４１…根本部
４２…自由端部          ４３…空気層
４５…板バネ部材        ４６…根本部
４７…自由端部          ５０…膨出部
５５…折り曲げ部        ６０…ＩＨコイル
７０…面状ヒータ
【図１】
2006043226.tif 000003
【図２】
2006043226.tif 000004
【図３】
2006043226.tif 000005
【図４】
2006043226.tif 000006
【図５】
2006043226.tif 000007
【図６】
2006043226.tif 000008
【図７】
2006043226.tif 000009
【図８】
2006043226.tif 000010
【図９】
2006043226.tif 000011
【図１０】
2006043226.tif 000012